(57)【特許請求の範囲】
【請求項１】
固着具（６）を介して建具や家具の壁面に固定される底板部分に所定間隔離間して形成された１組の係合孔（２２）を有する台座本体（４Ａ）と、この台座本体の前記係合孔にそれぞれスナップフィット係合する弾性の係合爪片（２６）をカバー部分（２５ａ）の内面の両端部に有し、かつ前記固着具の頭部をカバーする一つの長板状係合板（２５）とから成る建具や家具の取付け台座であって、前記長板状係合板の前記カバー部分の内面の中央部に、根元部分がそれぞれの前記係合爪片（２６）に対する荷重の作用点となる係合突起（２７）を形成し、この係合突起は、該長板状係合板（２５）のスナップフィット係合時、前記台座本体４Ａの底板部分に形成された位置決め用ガイド孔（７）に係合することを特徴とする建具や家具の取付け台座。
【発明の詳細な説明】
【技術分野】
【０００１】
本発明は、建具や家具の取付け台座に関する。
【背景技術】
【０００２】
特許文献１の発明の課題は、「スナップフィット構造により組み付けた２つの部材をリサイクルのために分離・分解する際の作業性の問題を解消し、短時間で容易に分離・分解できるリサイクル対応のスナップフィット係合構造を提供すること」である。
【０００３】
また、特許文献１の発明の構成は、「爪を備えた係合部材と、該爪を係合可能な穴を有した被係合部材とをスナップフィット係合により係合させたスナップフィット係合構造において、該係合部材又は該被係合部材のいずれか一方に、突状に屈曲させた屈曲部を備え、該係合部材と該被係合部材とを係合させたときに、該屈曲部内に差込み口が形成されるように構成され、前記差込み口の手前に突起を備えたこと」である。
【０００４】
特許文献１の発明は、係合部材分離用の工具の先端部が入り込むことが可能な差込み口が形成されているので、確かに、２つの部材をリサイクルのために分離・分解する際の作業性の問題を解消するという利点がある。
【０００５】
しかしながら、特許文献１には、スナップフィット構造が、建具や家具の取付け台座に適用できる旨の記載や示唆はない。また、爪を備えた係合部材が、固着具の頭部をカバーするために係合穴を有する被係合部材にスナップフィット係合させる旨の記載や示唆もない。
【０００６】
しかして、建具や家具の取付け台座の技術分野では、取付け台座の外観性（意匠性）、取付け台座用の固着具の頭部をカバーするカバー部材の取付け性やその分離性の向上が要望されている。
【特許文献１】特許第３７８９１０２号公報
【発明の開示】
【発明が解決しようとする課題】
【０００７】
本発明の目的は、建具や家具の取付け台座の技術分野に於いて、取付け台座の外観性に優れ、また、取付け台座用の固着具の頭部をカバーするカバー部材（係合片）の取付け性の向上を図ることである。
【課題を解決するための手段】
【０００８】
本発明の建具や家具の取付け台座は固着具（６）を介して建具や家具の壁面に固定される底板部分に所定間隔離間して形成された１組の係合孔（２２）を有する台座本体（４Ａ）と、この台座本体の前記係合孔にそれぞれスナップフィット係合する弾性の係合爪片（２６）をカバー部分（２５ａ）の内面の両端部に有し、かつ前記固着具の頭部をカバーする一つの長板状係合板（２５）とから成る建具や家具の取付け台座であって、前記長板状係合板の前記カバー部分の内面の中央部に、根元部分がそれぞれの前記係合爪片（２６）に対する荷重の作用点となる係合突起（２７）を形成し、この係合突起は、該長板状係合板（２５）のスナップフィット係合時、前記台座本体４Ａの底板部分に形成された位置決め用ガイド孔（７）に係合することを特徴とする。
【発明の効果】
【０００９】
本発明は、固着具の頭部が外から見えないので、取付け台座の外観性に優れた取付け台座を提供することができる。また一つの係合板のカバー部分の内面の中央部に、根元部分がそれぞれの係合爪片に対する荷重の作用点となる係合突起が設けられ、この係合突起は、係合板のスナップフィット係合時、台座本体の底板部分の位置決め用ガイド孔に係合する、一方の係合爪片を係合孔に嵌め込む際、又は一方の係合爪片を係合孔から抜き取ろうとする際には、一方の係合爪片に対する荷重が、他方の係合爪片の根元部分ではなく、前記係合突起の根元部分が荷重の作用点となる。
それ故に、係合爪片の組み付け時には、その係合突起は、位置決めガイド孔との係合関係により、両端部の係合爪片をそれぞれ容易にスナップフィット係合させることができ、一方、係合爪片を台座本体の係合孔から剥離する際には、係合爪片を極力損傷させないように離すことができる。なお、内面の中央部に係合突起を設けた場合には、係合後に係合板が反る確率が少なく成る。
【発明を実施するための最良の形態】
【００１０】
以下、図１乃至図１０に示す本発明を実施するための最良の形態により説明する。
【００１１】
（１）発明の実施の環境
図１は、本発明の取付け台座４を適用した実施環境の説明図である。この図１では、室内から建具や家具の壁面に固定した取付け台座４を示している。本実施例は、建具としての開き戸１の壁面に内側の取付け台座４を装着したものである。また、図２は、室内側の取付け台座４と、この取付け台座に取付けられる把手１０を示している。室内又は室外の取付け台座は、図３で示すように、台座本体４Ａと、この台座本体にスナップフィット係合する長板状の係合板２５とから成る。
【００１２】
まず、図１乃至図２を参照にして、本発明と共に、その実施の環境を説明する。１は蝶番等を介して開閉するドア（扉、開き戸等と称される開閉体）、２はドアの自由端部、２ａはドアの内壁、３はドアの自由端部に設けられた（例えば彫り込み型）錠箱、４はプッシュプル式の把手付の取付け台座（ここでは、「内側の取付け台座」）、そして、ドアの反対側（外壁）には、図示しないプッシュプル式の把手付の取付け台座（ここでは、「外側の取付け台座」）が存在する。
【００１３】
次に、錠箱３は、室内ドア、例えばトイレのドアの自由端部に取付けられる。普通一般に、室内ドアの自由端部に取付けられる錠箱３は、サムターンと称される簡易式操作部材を備え、トイレの内側（室内側）からサムターン摘みを操作すると、錠箱内装の図示しないロック機構がロックされ、内外の把手が直接又は間接的にロックされる。
【００１４】
また、錠箱内装のロック機構は、サムターン摘みにサムターン軸を介して一体的に接続する外側（室外側）の回転操作盤を、例えば硬貨の外周縁を用いて所定方向に回転すると、把手のロック状態が解除される。さらに、錠箱３は、周知のように、幅広側壁を有するケース身とケース蓋とから構成され、フロントから突出しかつ戸枠の受け具と係脱するラッチを備えている。錠箱３の構造は、本発明の限定要件ではないので、詳細な説明を省略する。
【００１５】
（２）把手付取付け台座の装着位置
まず、内側の把手付取付け台座４（外側も同じ）は、図１で示すように、錠箱３を内装したドアの自由端部２の内壁２ａに複数個の固着具６を介して固定される。本実施例では、固着具６は、図１で示すように、取付け台座４の右側の一端部側に形成された位置決め用ガイド孔７を基準に上方に２個、下方に２個存在する。合計４個の固着具６は、位置決め用ガイド孔７と共に縦列状態となっている。
【００１６】
そして、これらの固着具６は、後述する所定形状（例えば長板状）の係合板２５が２本の弾性の係合爪片２６を介して台座本体４Ａの一組の係合孔２２にそれぞれスナップフィット係合すると、該係合板２５のカバー部分２５ａに全てカバーされる。これにより、固着具６の頭部が外（例えば室内）から見えなく成る。
【００１７】
次に、取付け台座４を構成する台座本体４Ａは、その底板部分が固着具６を介して開き戸の壁面２ａに固定されるが、ここで底板部分が壁面２ａに「固定される」とは、底板部分が壁面２ａに固着具６を介して直接固定される場合、底板部分が固着具６を介してドアの反対側（外壁）の外側の把手付、又は把手付でない取付け台座の螺合筒に連結される場合、底板部分が台座本体４Ａのフランジ部分を介して固定される場合等を言う。要は、台座本体４Ａが、単数又は複数個の固着具６の頭部が外から視覚上見えるような態様で壁面に固定されることを意味する。したがって、前記固着具６の頭部を覆い隠す工夫が必要と成る。
【００１８】
図１で示す実施例では、台座本体４Ａを嵌合装着することができるように、ドアの自由端部２には、仮想線で示した矩形状開口部５が形成されている。また、特に符号を付さないが、ドア１の自由端部２には、戸先面から切欠されかつ前記開口部５に連通する錠箱内装用の収容部が形成されている。
【００１９】
フロントが戸先面に位置付けられる錠箱３は、収容部乃至開口部５の一部（本実施例では開口部５の先端部側の略半分）に嵌め込まれている。付言すると、錠箱３の軸孔、取付け孔及び窓を有する幅広側壁の部位は、開口部５の先端部側に位置している。それ故に、内外の把手付取付け台座４をドア１の開口部５に嵌め込む前は、錠箱３の軸孔、取付け孔等が見える。
【００２０】
（３）把手付取付け台座
内外の把手付取付け台座は、基本的には同一構成であるが、ここでは、内側の把手付取付け台座４を例に挙げて説明する。
【００２１】
まず、図１及び図２で示すように、取付け台座４は、内側の把手１０を備え、該把手１０の基端部１０ａは、枢軸１１に軸支されている。この把手１０を軸支する縦方向の枢軸１１を基準として、取付け台座４の一端部（戸尻部側の端部）は、前述したように、垂直方向に複数本の固着具６を介して壁面２ａに固定されている。
【００２２】
本実施例では、底板部分が矩形状開口部５に嵌合した状態で、周縁部のフランジが開口部５の縁部に係止され、かつ外側の把手付取付け台座の螺合筒に螺合する合計４本の固着具６を介して壁面２ａに固定されている。
【００２３】
次に、取付け台座４の他端部（戸先部側の端部）は、その中央部に操作部材（サムターン摘み）１２用の比較的大きな軸孔１３を有する。この軸孔１３を基準とする上下の部位の裏面（底壁部分）には、その裏面から水平方向に延び、かつ錠箱３の幅広側壁に形成した図示しない複数個の取付け孔にそれぞれ嵌入する複数個のピン状或いは鉤状の嵌合突起１４が設けられている。本実施例では、これらの嵌合突起１４はピン状に形成され、上下に合計２本設けられており、一端部側の固着具６と同様に把手付取付け台座４の底壁部分を壁面２ａに嵌合状態で固定する固着具（ストッパー）の役割を果たす。
【００２４】
（４）取付け台座の台座本体
まず、図１及び図２を参照にして説明すると、取付け台座４の台座本体４Ａは、その外周部（四辺の縁部）がドア１の開口部５から食み出る大きさの正面視矩形状に形成されている。付言すると、台座本体４Ａの左右の縁部と上下の縁部は、ドア１の開口部５に対するフランジと成る。
【００２５】
次に、図２で示すように、一端部（戸尻部側の端部）１６の垂直部分は、他端部（実施例では戸先側の端部）１７の垂直部分とは同一垂直面上に位置せず、一端部１６の方が背面（底壁部分）側に落ち込んでいる。
【００２６】
換言すれば、他端部１７の垂直部分の方が、一端部１６の垂直部分よりも厚みがある。台座本体４Ａの細部的事項の説明は割愛するが、その正面側の部分に於いて、他端部１７の垂直部分から一端部（戸尻部側）１６に至るまで、単数又は複数の段差部分を繰り返して正面向き凹所状の「大きなくり抜き部１８」を形成している。そして、この大きなくり抜き部１８の中には、さらに、前記一端部（戸尻部側）１６寄りの部位に、係合板２５用の凹陥部１９を縦長に形成している。
【００２７】
しかして、図３及び図４で示すように、前記凹陥部１９には、その中央部（中心部）に、前述した位置決め用ガイド孔７が一つ形成され、この位置決め用ガイド孔７を基準に所要間隔離間して上方に２個、下方に２個、それぞれ固着具６用の貫通小孔２１が形成されている。したがって、これらの貫通小孔２１に前記固着具６が位置付けられる。そして、本実施例では、台座本体４Ａの底板部分の一部（例えば前記凹陥部１９）に所定間隔離間して１組の係合孔２２が形成されている。
【００２８】
次に、図５は係合孔２２に関連する構成を示す。係合孔２２は、台座本体４Ａの底板部分の肉厚部に横方向に形成されたガイド長孔であるが、この係合孔２２は、当然、係合板２５に設けた弾性の係合爪片２６の挿通を許容する形状に形成されている。
【００２９】
しかして、本実施例では、前述した凹陥部１９の少なくとも一方の内端面（実施例では両方の内端面）１９ａは、係合孔２２の係合口の傾斜状縁２２ａに緩やかに続く傾斜面となっており、係合板２５の係合爪片２６が前記凹陥部１９を介して係合孔２２に完全にスナップフィット係合した場合には、前記凹陥部１９の内端面１９ａと係合板２５の端縁との間には、係合板分離用の工具の先端部が入り込むことが可能な間隙２３が生じる。なお、詳細説明は割愛するが、図７で示すように、係合板２５の内面には、格子状の補強リブ２０が形成されている。
【００３０】
（５）取付け台座の係合片２５
図６乃至図８を参照にして、取付け台座４の係合片２５を説明する。係合片２５は、台座本体４Ａの凹陥部１９内に嵌まり合うように所定長及び所定幅に形成されている。本実施例では、凹陥部１９が縦長状の凹所であることから、長板状に形成されている。
【００３１】
しかして、符号２６は内面の両端部に水平方向に突出形成された上下一対の弾性の係合爪片で、これらの係合爪片２６の先端部の鉤状爪部２６ａは、外向きである。また、符号２７は、取付け性やその分離性の向上を図るために、係合板２５の内面の中央部に設けられ、かつ根元部分がそれぞれの係合爪片２６に対する荷重の作用点となる係合突起である。この係合突起２７は、係合板２５のカバー部分２５ａが上下或いは左右対称となるように、望ましくは、係合板２５の中間部に設けるのが望ましい。
【００３２】
ところで、本実施例では、係合板２５の分離性の向上を図るために、弾性の係合爪片２６の少なくとも根元部分２６ｂの外側に切欠部分２８を形成している。この切欠部分２８は、係合爪片２６の鉤状爪部２６ａから根元部分２６ｂの奥に至り（肉厚の薄い箇所）、かつ、係合板２５のカバー部分２５ａの端縁に形成した受け傾斜面２９或いは端縁切欠部に接続している（図８参照）。
【００３３】
（６）スナップフィット係合
図４の曲線Ｃで示すように、実際には、長板状の係合板２５は、その材質自体により、物理的にはやや弧状に反っている。２５は係合板、弾性変位機能、弾性変位復帰機能及び形態を一定に保持する剛性的機能を有する。
【００３４】
上記構成に於いて、係合板２５を凹陥部１９に嵌め込む場合には、一方或いは両方の係合片２５を係合孔２２に嵌め込む前に、位置決め用ガイド孔７にその係合突起２７を位置合わせした状態で、まず、一方の係合爪片２６を係合孔２２に嵌め込み、次いで、他方の係合爪片２６を残りの係合孔２２に嵌め込むようにする。図９は、係合爪片２６を係合孔２２に嵌め込む中途の状態と、係合爪片２６が係合孔２２にスナップフィット係合した状態を示す。また、図１０は、係合板２５が台座本体４Ａに全体がスナップフィット係合した状態を示す。
【００３５】
（７）把手
把手１０は、その軸受け部分、枢軸１１及び台座本体４Ａの不番の軸受け部分を介して台座本体４Ａに、その基端部１０ａが取付けられる。台座本体４Ａの大きな抜き部１８に把手１０が枢軸１１等を介して組み込まれると、把手１０の外面（表面）と台座本体４Ａの逆向きコ字形状の外面（表面）は、実質的に段差のない同一垂直面上に位置する外観表面を呈すると共に、前記大きな抜き部１８は把手１０の所要回転を許容する。なお、把手１０の詳細構造は割愛する。
【実施例】
【００３６】
発明の実施の形態で示した実施例に於いて、台座本体４Ａの外形形状は正面視矩形状であるが、正面視円形に形成することもできる。
【００３７】
ところで、本発明では、係合板２５の分離性の向上を図ることは、発明の付随的な加味要件であるから、係合板２５のカバー部分２５ａの端縁に形成した受け傾斜面２９は、発明の非本質的事項である。但し、係合板２５のカバー部分２５ａの端縁の構成が発明の特定要件となった場合には、前記受け傾斜面２９は、特に図示しないが、係合爪片２６の外向き切欠部分２８に連続的に接続する端縁切欠部にあっても良い。
【産業上の利用可能性】
【００３８】
本発明は、主に錠前や建具の業界で利用される。
【図面の簡単な説明】
【００３９】
図１乃至図１０は本発明の最良の実施例を示す各説明図。
【図１】建具の壁面に固定した取付け台座（一部切欠）の実施環境の説明図。
【図２】取付け台座及び把手を示す説明図。
【図３】取付け台座を分解した説明図（台座本体の固着前）。
【図４】取付け台座の概略説明図（台座本体に係合片を係合する前）。
【図５】係合孔に関連する構成を示す概略説明図。
【図６】台座本体の要部の説明図。
【図７】係合片（一部断面）の説明図。
【図８】要部（係合爪片、根元部分）の概略断面説明図。
【図９】係合爪片と係合孔の係合関係を示す概略説明図。
【図１０】係合板が台座本体に全体がスナップフィット係合した状態を示す概略説明図。
【符号の説明】
【００４０】
１…ドア、２…ドアの自由端部、２ａ…壁面（例えば内壁）、３…錠箱、４…取付け台座、４Ａ…台座本体、５…開口部、６…固着具、７…位置決め用ガイド孔、１０…把手、１０ａ…基端部、１１…枢軸、１２…操作部材（サムターン摘み）、１３…軸孔、１４…嵌合突起、１６…一端部（戸尻部側の端部）、１７…他端部（戸先側の端部）、１８…大きなくり抜き部、１９…係合板用の凹陥部、１９ａ…凹陥部の内端面、２０…補強リブ、２１…貫通小孔、２２…係合孔、２２ａ…係合口の傾斜状縁、２３…間隙、２５…係合板、２５ａ…カバー部分、２６…係合爪片、２６ａ…鉤状爪部、２６ｂ…根元部分、２７…係合突起、２８…切欠部分、２９…受け傾斜面。
【図１】
0005118955.tif 000002
【図２】
0005118955.tif 000003
【図３】
0005118955.tif 000004
【図４】
0005118955.tif 000005
【図５】
0005118955.tif 000006
【図６】
0005118955.tif 000007
【図７】
0005118955.tif 000008
【図８】
0005118955.tif 000009
【図９】
0005118955.tif 000010
【図１０】
0005118955.tif 000011